(57)【要約】【課題】マルチパス記録を行うラインタイプの記録装置において、隣接する単位領域の境界に生じるバンディングを視認し難くする技術を提供する。【解決手段】インクを吐出するための複数のノズルが所定方向に並設された記録ヘッドと、前記記録ヘッドに対して記録媒体を前記所定方向と交差する搬送方向に相対的に搬送する搬送手段と、記録媒体を前記搬送方向における第１方向へ搬送しながら記録する第１記録搬送と、記録媒体を前記第１方向と逆方向の第２方向へ搬送しながら記録する第２記録搬送とを交互に実行しながら単位領域を複数回の記録搬送により記録するマルチパス記録を行う記録制御手段とを有する記録装置であって、前記記録制御手段は、隣接する単位領域の境界において、前記第１記録搬送における記録終了位置と、直後になされる前記第２記録搬送における記録の開始位置とを異ならせる第１記録処理により記録媒体に対して記録を行うようにした。【選択図】図７
2019195982.tif 000002
【特許請求の範囲】
【請求項１】
インクを吐出するための複数のノズルが所定方向に並設された記録ヘッドと、
前記記録ヘッドに対して記録媒体を前記所定方向と交差する搬送方向に相対的に搬送する搬送手段と、
記録媒体を前記搬送方向における第１方向へ搬送しながら記録する第１記録搬送と、記録媒体を前記第１方向と逆方向の第２方向へ搬送しながら記録する第２記録搬送とを交互に実行しながら単位領域を複数回の記録搬送により記録するマルチパス記録を行う記録制御手段と
を有する記録装置であって、
前記記録制御手段は、隣接する単位領域の境界において、前記第１記録搬送における記録終了位置と、直後になされる前記第２記録搬送における記録の開始位置とを異ならせる第１記録処理により記録媒体に対して記録を行う
ことを特徴とする記録装置。
【請求項２】
前記記録制御手段は、前記第１記録搬送において、記録を伴う移動の前後の少なくとも一方に記録を伴わない移動を行うことを特徴とする請求項１に記載の記録装置。
【請求項３】
前記第１記録搬送では、
記録領域に記録媒体における記録開始位置を含むときに、記録を伴う移動の後に記録を伴わない移動を行い、
記録領域に記録媒体における記録終了位置を含むときに、記録を伴う移動の前に記録を伴わない移動を行い、
記録領域に前記記録開始位置および前記記録終了位置を含まないときに、記録を伴う移動の前後に記録を伴わない移動を行う
ことを特徴とする請求項２に記載の記録装置。
【請求項４】
前記記録制御手段は、
前記第１記録処理とともに、隣接する単位領域の境界において、前記第１記録搬送における記録の終了位置と、直後になされる前記第２記録搬送における記録の開始位置とを一致させて記録媒体に対して記録を行う第２記録処理を行うことが可能であり、
前記第１記録処理と、前記第２記録処理とを選択的に実行する
ことを特徴とする請求項１から３のいずれか１項に記載の記録装置。
【請求項５】
前記記録制御手段は、単位領域を記録するためのパス数に応じて、前記第１記録処理または前記第２記録処理を選択することを特徴とする請求項４に記載の記録装置。
【請求項６】
前記記録制御手段は、記録媒体の種類に応じて、前記第１記録処理または前記第２記録処理を選択することを特徴とする請求項４に記載の記録装置。
【請求項７】
前記記録制御手段は、インクを受容する、あるいは、インクと反応するコート層を備えた記録媒体に対して記録するときには、前記第１記録処理を選択して実行することを特徴とする請求項６に記載の記録装置。
【請求項８】
インクを吐出するための複数のノズルが所定方向に並設された記録ヘッドと、
前記記録ヘッドに対して記録媒体を前記所定方向と交差する搬送方向に相対的に搬送する搬送手段と
を有する記録装置によって、記録媒体を前記搬送方向における第１方向へ搬送しながら記録する第１記録搬送と、記録媒体を前記第１方向と逆方向の第２方向へ搬送しながら記録する第２記録搬送とを交互に実行しながら単位領域を複数回の記録搬送により記録するマルチパス記録を行う記録方法であって、
隣接する単位領域の境界では、前記第１記録搬送における記録終了位置と、直後になされる前記第２記録搬送における記録の開始位置とを異ならせる
ことを特徴とする記録方法。
【発明の詳細な説明】
【技術分野】
【０００１】
本発明は、搬送される記録媒体の最大幅に対応した長さの記録ヘッドからインクジェット方式により記録媒体に対してインクを吐出するラインタイプの記録装置および記録方法に関する。
【背景技術】
【０００２】
特許文献１には、ラインタイプのインクジェット記録装置（以下、単に「記録装置」と称する。）において、マルチパス記録を行う技術が開示されている。即ち、この記録装置では、記録媒体の幅方向に延在する記録ヘッドに対して、記録媒体の幅方向と交差する方向で往復移動することが可能な搬送機構を備えている。そして、記録媒体上に記録を行う際には、搬送機構により記録媒体を往方向および復方向に複数回移動しながら、パス（往方向および復方向への１回の動作）毎に生成された分割データに基づいて記録ヘッドからインクを吐出し、単位領域を複数パスで記録する。
【先行技術文献】
【特許文献】
【０００３】
【特許文献１】特許第４７１５２０９号公報
【発明の概要】
【発明が解決しようとする課題】
【０００４】
しかしながら、特許文献１に開示された技術では、各パスにおける記録位置にズレが生じると、隣接する単位領域の境界部分において筋状の模様（バンディング）が発生する。発生したバンディングは、記録画像によっては顕著に現れて記録品位を大きく低下させていた。
【０００５】
本発明は、上記した課題に鑑みてなされたものであり、マルチパス記録を行うラインタイプの記録装置において、隣接する単位領域の境界に生じるバンディングを視認し難くする技術を提供することを目的とする。
【課題を解決するための手段】
【０００６】
上記目的を達成するために、本発明は、インクを吐出するための複数のノズルが所定方向に並設された記録ヘッドと、前記記録ヘッドに対して記録媒体を前記所定方向と交差する搬送方向に相対的に搬送する搬送手段と、記録媒体を前記搬送方向における第１方向へ搬送しながら記録する第１記録搬送と、記録媒体を前記第１方向と逆方向の第２方向へ搬送しながら記録する第２記録搬送とを交互に実行しながら単位領域を複数回の記録搬送により記録するマルチパス記録を行う記録制御手段とを有する記録装置であって、前記記録制御手段は、隣接する単位領域の境界において、前記第１記録搬送における記録終了位置と、直後になされる前記第２記録搬送における記録の開始位置とを異ならせる第１記録処理により記録媒体に対して記録を行うことを特徴とする。
【発明の効果】
【０００７】
上記目的を達成するために、本発明は、マルチパス記録を行うラインタイプの記録装置において、隣接する単位領域間に生じるバンディングが視認し難くなる。
【図面の簡単な説明】
【０００８】
【図１】本発明による記録装置の概略構成斜視図。
【図２】記録時、回復時の記録ヘッドと回復ユニットとの位置関係を説明する説明図。
【図３】記録ヘッドの概略構成およびワイパーの位置関係を説明する説明図。
【図４】記録装置の制御系のブロック構成図。
【図５】９パスで単位領域を記録する比較例による記録動作の説明図。
【図６】８パスで単位領域を記録する比較例による記録動作の説明図。
【図７】９パスで単位領域を記録する実施例による記録動作の説明図。
【図８】８パスで単位領域を記録する実施例による記録動作の説明図。
【図９】実施例の記録動作を実行するための記録処理の処理ルーチンを示すフローチャート。
【発明を実施するための形態】
【０００９】
以下、添付の図面を参照しながら、本発明による記録装置および記録方法の一例を詳細に説明するものとする。なお、本明細書において、「記録」とは、文字、図形など有意の情報を形成する場合のみならず、有意無意を問わない。また、人間が視覚で近くしうるように顕在化したものであるか否かを問わず、広く記録媒体上に画像、模様、パターンなどを形成する、あるいは、媒体の加工を行う場合も含むものとする。
【００１０】
「記録媒体」とは、一般的な記録装置などで用いられる紙に限定されるものではなく、布、プラスチックフィルム、金属板、ガラス、セラミックス、木材、皮革などインクを受容可能な材料を含むものとする。「インク」とは、記録媒体上に付与されることによって、画像、模様、パターンなどの形成または記録媒体の加工、あるいは、インクの処理（例えば、記録媒体に付与されるインク中の色材の凝固または不溶化）に供され得る液体を含むものとする。
【００１１】
「ノズル」とは、特に説明のない限り、インクを吐出する吐出口、吐出口に連通する液路およびインク吐出に利用されるエネルギーを発生する素子を総括して称するものとする。「基板」とは、シリコン半導体からなる単なる基体を表すのではなく、各素子や配線などが設けられた構成を表すものである。また、基板上とは、単に基板の上を表すだけでなく、基板の表面や表面近傍の基板内部側をも表すものである。
【００１２】
図１は、本発明による記録装置を示す概略構成斜視図である。図２は、図１のＩＩａ−ＩＩａ線断面図であり、（ａ）は記録ヘッドによる記録処理時の図であり、（ｂ）は記録ヘッドの回復処理時の図である。図３（ａ）は、記録ヘッドに対するワイピングを説明する説明図であり、図３（ｂ）は、図３（ａ）のＩＩＩｂ−ＩＩＩｂ線断面図である。
【００１３】
この図１に示す記録装置１０は、ラインタイプの記録装置であって、ロール状に巻かれた連続紙などの記録媒体１００を、所定の方向（搬送方向）に搬送する搬送部１２を備えている。なお、搬送部１２において搬送される記録媒体１００については、ロール状に巻かれた連続紙に限定されるものではなく、カットシートであってもよい。また、記録装置１０は、搬送される記録媒体１００に対してインクを吐出して記録を行う記録部１４と、記録部１４の記録ヘッド１８（後述する。）に対して回復処理を行う回復ユニット１６とを備えている。なお、記録装置１０はさらに、記録部１４の搬送方向（往方向）下流側には、記録された記録媒体１００を所定の長さでカットするカットユニット（不図示）、カットユニットにおいてカットされた記録媒体１００を受ける排紙トレイ（不図示）などを備えている。こうした記録装置１０の全体の動作については、記録装置１０と接続されるコントローラ３６（図４参照）により制御されている。
【００１４】
より詳細には、搬送部１２（搬送手段）は、記録媒体１００を搬送方向において往復移動（往方向および復方向への搬送）可能な複数の搬送ローラ対１２ａを有している。搬送ローラ対１２ａは、モーター（不図示）の駆動により回転する搬送ローラ１２ａ−１と、付勢されて搬送ローラ１２ａ−１に当接し、搬送ローラ１２ａ−１に従動して回転する従動ローラ１２ａ−２とを有して構成されている。
【００１５】
また、記録部１４は、それぞれ異なる色彩、例えば、Ｃ（シアン）、Ｍ（マゼンタ）、Ｙ（イエロー）、Ｋ（ブラック）のインクを吐出する４つの記録ヘッド１８を備えている。なお、記録ヘッド１８については、１つの色彩のインクに対して１つの記録ヘッドが設けられるようにしてもよいし、１つの色彩のインクに対して複数の記録ヘッドが設けられるようにしてもよい。また、記録ヘッド１８から吐出するインクの種類および数については、上記した４つに限定されるものではない。
【００１６】
各記録ヘッド１８は、インクが貯留されたインクタンク（不図示）にインクチューブ（不図示）を介して接続されており、このインクタンクからインクチューブを介してインクが供給される。４つの記録ヘッド１８は、搬送部１２上において昇降可能に設けられたホルダー２０に一体的に保持されており、ホルダー２０を介して一体的に昇降して、搬送部１２において搬送される記録媒体１００と記録ヘッド１８との間の距離を変更可能な構成となっている。
【００１７】
記録ヘッド１８は、インクジェット方式によりインクを吐出する構成となっており、例えば、発熱素子を用いた方式、ピエゾ素子を用いた方式、静電素子を用いた方式、ＭＥＭＳ素子を用いた方式など、公知の技術を用いることができる。また、記録ヘッド１８は、搬送部１２において搬送される記録媒体１００と対向する面（ノズル面）１８ａにおいて、インクを吐出するノズルが搬送方向と交差（本実施形態では直交）する方向（所定方向）に並設されてノズル列２４を形成している。そして、ノズル面１８ａにおいては、図３（ｂ）のように、ノズル列２４が、搬送方向に沿って複数（本実施形態では４つ）並設されている。なお、以下の説明において、搬送方向と直交する方向を、シートの幅方向、あるいは、単に幅方向と称することとする。
【００１８】
ノズル列２４の幅方向の長さは、記録装置１０において記録可能な記録媒体１００の最大幅をカバーすることが可能な長さとする。また、記録ヘッド１８は、図３（ａ）のように、ベース基板２１上に、ノズルチップ２２が配置されている。このノズルチップ２２は、インクを吐出する複数のノズル列２４が形成されたノズル面１８ａを構成するとともに、各ノズルに対応して形成されたエネルギー素子（発熱素子など）が埋め込まれているノズル基板を備えている。
【００１９】
回復ユニット１６は、記録部１４の搬送方向（往方向）下流側に配設されており、搬送方向に移動可能な移動部１６−１と、移動部１６−１において、幅方向に移動可能に設けられたワイパー１６−２とを備えている。移動部１６−１は、搬送部１２上に配設された一対のガイドレール２６上に摺動可能に配置され、モーター（不図示）の駆動によって、搬送方向を往方向および復方向に移動可能となっている。また、ワイパー１６−２は、搬送方向に沿って複数（本実施形態では４つ）並設されている。そして、各ワイパー１６−２は、回復ユニット１６が回復位置に位置し、かつ、記録ヘッド１８が所定位置まで下降したときに、ノズル面１８ａにおいてノズル列２４を含むその近傍をワイピング可能となるように、移動部１６−１上に設けられている。回復位置とは、ホルダー２０を介して上昇した記録ヘッド１８の真下であって、ワイピングの際に回復ユニットが位置する位置である。
【００２０】
ワイパー１６−２は、ノズル列２４およびその近傍に付着したインクや塵埃を払拭するためのブレード１６−２ａと、ブレード１６−２ａを支持するホルダー１６−２ｂとを備えている。ホルダー１６−２ｂは、ベース部材３０に固定的に配置されており、ベース部材３０は、移動部１６−１において幅方向に延設されたシャフト３４に摺動可能に設けられている。また、ベース部材３０は、モーター（不図示）の駆動により回転駆動する駆動ベルト３２に接続されている。これにより、ベース部材３０は、シャフト３４を介して移動部１６−１において幅方向に移動可能に構成されている。従って、ベース部材３０に固定的に設けられたワイパー１６−２は、このベース部材３０の移動に伴って、移動部１６−１において幅方向に移動可能な構成となっている。
【００２１】
そして、記録装置１０では、所定のタイミングで回復処理を行うものであり、この回復処理の際には、まず、ホルダー２０を介して記録ヘッド１８を退避位置まで上昇する。退避位置とは、搬送方向に移動する回復ユニット１６に接触しない位置である。次に、記録媒体１００への記録ヘッド１８による記録を妨害しない待機位置に位置する回復ユニット１６について、図２（ｂ）のように、移動部１６−１を介して、各記録ヘッド１８に対してワイパー１６−２によりワイピング可能な回復位置まで移動する。その後、記録ヘッド１８を所定位置まで下降した後に、ベース部材３０を介してワイパー１６−２を幅方向で移動して、ブレード１６−２ａによりノズル面１８ａを払拭するワイピングが行われる。
【００２２】
コントローラ３６は、図４のように、記録装置１０の動作の制御処理やデータ処理などを実行する中央処理装置（ＣＰＵ）３８を備えている。ＣＰＵ３８には、全体の動作や種々の処理を実行するための所定のプログラムを格納したＲＯＭ４０と、ＣＰＵ３８によるプログラム実行時に必要な各種レジスタなどが設定されたワーキングエリアとしてのＲＡＭ４２とが接続されている。なお、記録装置１０では、例えば、ＣＰＵ３８、ＲＯＭ４０およびＲＡＭ４２によりコントローラ３６を構成している。
【００２３】
記録装置１０では、ＣＰＵ３８が搬送部１２に接続され、ＣＰＵ３８によって、モーター（不図示）を介して搬送ローラ１２ａ−１を駆動し、記録媒体１００を搬送方向で搬送するように制御される。また、ＣＰＵ３８が回復ユニット１６に接続され、ＣＰＵ３８によって、モーター（不図示）を介して移動部１６−１およびベース部材３０を移動して、記録ヘッド１８に対して回復動作（ワイピング）を行うよう制御される。さらに、ＣＰＵ３８には、記録ヘッド１８が接続され、ＣＰＵ３８によって、記録ヘッド１８からのインク滴の吐出動作を制御する。なお、ＣＰＵ３８には、図示しない昇降部が接続され、ＣＰＵ３８によって、回復ユニット１６による回復処理の際にはホルダー２０を介して記録ヘッド１８を上昇し、記録部１４による記録の際にはホルダー２０を介して記録ヘッド１８を下降する。
【００２４】
また、記録装置１０は、記録画像を表す画像データに対して、所定の画像処理を行う画像処理部４４を備えている。なお、画像データは、例えば、ホストコンピュータ（不図示）からコントローラ３６を介して画像処理部４４に入力される。また、画像処理部４４によって処理されたデータを２値データに変換する２値化処理部４６を備えている。さらに、２値データをマスクパターンを用いて間引いて往方向または復方向の１回の移動に対応した分割データを生成する分割データ生成部４８を備えている。
【００２５】
より詳細には、画像処理部４４は、例えば、入力されたＲＧＢ各色成分の記録画像を表す画像データによって再現される色域を、記録装置１０によって再現される色域内に写像するためのデータ変換を実行する。また、変換されたデータに基づき、各データが示す色を再現するインクの組み合わせに対応した色分解データであるＣＭＹＫ各成分濃度データを求める処理を行い、各色に分解されている分解データのそれぞれに対して階調変換を行う。また、２値化処理部４６は、画像処理部４４によって変換された多値の濃度画像データに対してハーフトーン処理などを行った後に、２値データ（ビットマップデータ）に変換する。また、分割データ生成部４８は、搬送方向の往方向または復方向の１回の動作（パス）において記録するための分割データを生成する。分割データは、例えば、単位領域を記録するためのパス数に基づいて均等に間引かれて生成される。なお、本実施形態では、ユーザが、例えば、操作子（不図示）などを介してパス数を設定するものとする。
【００２６】
コントローラ３６は、分割データ生成部４８で生成された分割データに基づいて、搬送部１２および記録ヘッド１８を駆動して記録を行うこととなる。即ち、分割データに基づいて、搬送方向の往方向（第１方向）および復方向（第２方向）に記録媒体１００を移動させながら、記録ヘッド１８からインクを吐出して記録を行う、所謂、マルチパス記録を行う。
【００２７】
ここで、図５乃至図８を参照しながら、コントローラ３６により実行される具体的な記録動作について説明する。図５は、単位領域を記録するパス数が奇数のときの比較例による記録動作を説明する説明図である。図６は、単位領域を記録するパス数が偶数のときの比較例による記録動作を説明する説明図である。図７は、単位領域を記録するパス数が奇数のときの実施例による記録動作を説明する説明図である。図８は、単位領域を記録するパス数が偶数のときの実施例による記録動作を説明する説明図である。各図において、矢印は、記録媒体１００に対する記録ヘッド１８の相対的な移動を表し、その向きは移動方向を表し、その長さは移動量を表している。
【００２８】
〈記録動作の比較例〉
例えば、９パスで単位領域を記録する、つまり、記録しながら移動する記録搬送を、搬送方向の往方向および復方向に交互に９回行うことで、単位領域に対して分割データに基づく記録を行う場合には、図５のようにして記録が行われる。
【００２９】
即ち、１回目の記録搬送（１パス目）では、記録媒体１００における記録開始位置から、記録媒体１００を上流側から下流側（往方向）に移動しながら記録する。なお、図５における矢印の向きは、記録媒体１００に対する記録ヘッド１８の相対的な移動方向を表している。このため、固定された記録ヘッド１８に対して、記録媒体１００を往方向で移動すると、矢印は、図中の上方から下方に向かう。また、記録媒体１００を復方向（下流側から上流側）で移動すると、矢印は、図中の下方から上方に向かう。こうした矢印の向きは、図６〜８においても同様である。
【００３０】
その後、２回目の記録搬送（２パス目）では、１回目の記録搬送が終了した位置から記録媒体１００を復方向に移動しながら記録する。以降の記録動作では、直前の記録搬送における記録の終了位置を記録の開始位置として、記録媒体１００を当該直前の記録搬送における搬送方向と逆方向に移動しながら記録する。
【００３１】
こうした記録処理では、隣接する単位領域の境界部分では、連続する２つの記録搬送について、記録の終了位置と記録の開始位置とが一致している。即ち、偶数回の記録搬送（第２記録搬送）の記録の開始位置が、直前の奇数回（第１記録搬送）の記録搬送の記録の終了位置と一致するとともに、偶数回の記録搬送の記録の終了位置が、直後の奇数回の記録搬送の記録の開始位置と一致している。そして、偶数回の記録搬送では、直前の奇数回の記録搬送により記録した領域に折り返すように記録を行っている。
【００３２】
この場合、３、４、１２、１３回目の記録搬送における記録について、搬送方向において記録位置にズレが生じていると、単位領域Ｂの上流側の端部（単位領域Ｃとの境界部分）にバンディングが生じる。３、４回目の記録搬送における記録と、１２、１３回目の記録搬送における記録とが、重複するときにはバンディングが他の記録よりも濃く表れ、離間するときにはバンディングが他の記録よりも薄く表れる。
【００３３】
また、例えば、８パスで単位領域を記録する場合には、図６のようにして記録が行われる。１〜７回目の記録搬送は、９パスで単位領域を記録する場合と同様の記録動作となる。８回目の記録搬送では、７回目の記録搬送が終了した位置から記録媒体１００を復方向に移動しながら記録する。９回目の記録搬送では、８回目の記録搬送が終了した位置から記録媒体１００を往方向に搬送するが、単位領域１つ分だけ記録することなく移動した後に、分割データに基づいて記録しながら移動する。以降の記録動作では、偶数回の記録搬送では、直前の奇数回の記録搬送における記録の終了位置を記録の開始位置として、記録媒体１００を復方向に移動しながら記録する。また、奇数回の記録搬送では、直前の偶数回の記録搬送における記録の終了位置から単位領域１つ分だけずれた位置を記録の開始位置として、記録媒体１００を往方向に移動しながら記録する。
【００３４】
こうした記録処理では、隣接する単位領域の境界部分において、連続する２つの記録搬送では記録の終了位置と記録の開始位置とが一致している箇所が存在する。また、単位領域の記録が終了した直後の記録搬送では、単位領域１つ分だけ記録することなく移動した後に、記録しながら移動するようにしている。即ち、偶数回の記録搬送における記録の開始位置と、直前の奇数回の記録搬送における記録の終了位置とが一致している。また、８回目以降の偶数回の記録搬送における記録の終了位置と、直後の奇数回の記録搬送における記録の開始位置とが、単位領域１つ分だけずれている。この場合、３、４、１１回目の記録搬送による記録について、搬送方向において記録位置にズレが生じていると、単位領域Ｂの上流側の端部にバンディングが生じることとなる。
【００３５】
〈記録動作の実施例〉
そこで、本願発明では、隣接する単位領域の境界において、所定の記録搬送による記録の終了位置と、その直後の記録搬送による記録の開始位置とを異ならせるようにした。これにより、隣接する単位領域の境界部分に、バンディングが発生したとしても、当該バンディングを人が視認し難くなる。
【００３６】
具体的には、例えば、９パスで単位領域を記録する場合には、図７のようにして記録を行う。この場合、１〜９回目の記録搬送で用いられる分割データは、回数が増加する毎に単位領域１つ分だけ搬送方向に長くする。１、３、５、７、９回目の記録搬送では、記録媒体１００を往方向に、分割データに基づいて記録しながら移動した後に、単位領域１つ分だけ記録することなく移動する。なお、１回目を除く３、５、７、９回目の記録搬送は、直前の記録搬送が終了した位置から記録搬送を開始することとなる。２、４、６、８回目の記録搬送では、記録媒体１００を復方向に、分割データに基づいて記録しながら移動する。なお、２、４、６、８回目の記録搬送は、直前の記録搬送が終了した位置から開始することとなる。
【００３７】
これにより、１、３、５、７回目の記録搬送における記録の終了位置と、２、４、６、８回目の記録搬送における記録の開始位置とが、単位領域１つ分だけずれて異なる位置となる。３、５、７、９回目の記録搬送における記録の開始位置と、２、４、６、８回目の記録搬送における記録の終了位置とは一致しているが、一致している位置は記録媒体１００における記録開始位置であって、隣接する単位領域の境界に位置していない。
【００３８】
１０回目以降の記録搬送で用いられる分割データは、単位領域９つ分の記録を行うデータとなる。そして、１０回目以降の偶数回の記録搬送では、直前の奇数回の記録搬送が終了した位置から記録媒体１００を復方向に、分割データに基づいて記録しながら移動する。また、奇数回の記録搬送では、直前の偶数回の記録搬送が終了した位置から記録媒体１００を往方向に、単位領域１つ分だけ記録することなく移動した後に、分割データに基づいて記録しながら移動する。その後、さらに記録媒体１００を往方向に単位領域１つ分だけ記録することなく移動する。１０回目以降の記録搬送では、こうした偶数回の記録搬送と奇数回の記録搬送とを交互に繰り返し行う。
【００３９】
また、記録媒体１００の記録終了位置を含むその近傍を記録する記録搬送では、用いられる分割データは、搬送方向における情報量が所定量に満たなくなる。なお、所定量については後述する。分割データに基づく情報量が所定量に満たない場合、奇数回の記録搬送では、直前の偶数回の記録搬送が終了した位置から往方向に、単位領域１つ分だけ記録することなく移動する。その後、往方向に移動しながら分割データに基づいて記録する（記録搬送番号（ｋ−７）、（ｋ−５）、（ｋ−３）、（ｋ−１）参照）。また、偶数回の記録搬送では、直前の奇数回の記録搬送が終了した位置から復方向に移動しながら分割データに基づいて記録する（記録搬送番号（ｋ−８）、（ｋ−６）、（ｋ−４）、（ｋ−２）、ｋ参照）。
【００４０】
この場合、図５に示す比較例と比較して、隣接する単位領域の境界部分に発生するバンディングが視認し難くなる。例えば、単位領域Ｂ、Ｃの境界部分にバンディングが発生するときには、図７に示す実施例では、２回目の記録搬送における記録の開始位置と、１１回目の記録搬送における記録の開始位置との間で記録位置のズレが生じることとなる。このように、図７に示す実施例では、図５に示す比較例と比べて、バンディングの発生に関与する記録搬送の回数が少ない。
【００４１】
ところで、バンディングの視認され易さは、バンディングの発生に関与する記録搬送の回数と、バンディングの発生位置を跨ぐ記録搬送の回数との比に大きく依存する。即ち、バンディングの発生に関与する記録搬送の回数が少ないほど、また、バンディングの発生位置を跨ぐ記録搬送の回数が多いほど、バンディングは視認され難くなる。これは、最終的にその領域に記録されるインクの記録デューティに対して、バンディングの発生に関与する記録デューティが相対的に小さくなることによる。
【００４２】
ここで、比較例では、図５のように、各単位領域の境界では、バンディングの発生に関与する記録搬送の回数は「４」、バンディングの発生位置を跨ぐ記録搬送の回数は「７」となる。具体的には、単位領域Ｂ、Ｃの境界では、３、４、１２、１３回目の記録搬送による記録がバンディングの発生に関与する。また、５〜１１回目の記録搬送による記録がバンディングの発生位置を跨ぐ。これに対して、実施例では、図７のように、各単位領域の境界では、バンディングの発生に関与する記録搬送の回数は「２」、バンディングの発生位置を跨ぐ記録搬送の回数は「８」となる。具体的には、単位領域Ｂ、Ｃの境界では、２、１１回目の記録搬送による記録がバンディングの発生に関与する。また、３〜１０回目の記録搬送による記録がバンディングの発生位置を跨ぐ。このように、実施例による記録動作では、比較例による記録動作と比べてバンディングが視認され難くなる。
【００４３】
また、８パスで単位領域を記録する場合には、図８のようにして記録を行う。この場合、１〜８回目の記録搬送で用いられる分割データは、回数が増加する毎に単位領域１つ分だけ搬送方向に長くする。１、３、５、７回目の記録搬送では、記録媒体１００を往方向に、分割データに基づいて記録しながら移動した後に、単位領域１つ分だけ記録することなく移動する。なお、１回目を除く３、５、７回目の記録搬送は、直前の記録搬送が終了した位置から記録搬送を開始することとなる。また、２、４、６、８回目の記録搬送では、記録媒体１００を復方向に、分割データに基づいて記録しながら移動する。なお、２、４、６、８回目の記録搬送は、直前の記録搬送が終了した位置から開始することとなる。
【００４４】
これにより、１、３、５、７回目の記録搬送における記録の終了位置と、２、４、６、８回目の記録搬送における記録の開始位置とが、単位領域１つ分だけずれて異なる位置となる。３、５、７回目の記録搬送における記録の開始位置と、２、４、６回目の記録搬送における記録の終了位置とは一致しているが、一致している位置は記録媒体１００における記録開始位置であって、隣接する単位領域の境界に位置していない。
【００４５】
９回目以降の記録搬送で用いられる分割データは、単位領域８つ分の記録を行うデータとなる。そして、９回目以降の奇数回の記録搬送では、直前の偶数回の記録搬送が終了した位置から記録媒体１００を往方向に、単位領域１つ分だけ記録することなく移動した後に、分割データに基づいて記録しながら移動する。その後、さらに記録媒体１００を往方向に単位領域１つ分だけ記録することなく移動する。また、偶数回の記録搬送では、直前の奇数回の記録搬送が終了した位置から記録媒体１００を復方向に、分割データに基づいて記録しながら移動する。９回目以降の記録搬送では、こうした奇数回の記録搬送と偶数回の記録搬送とを交互に繰り返し行う。
【００４６】
また、記録媒体１００の記録終了位置を含むその近傍を記録する記録搬送では、用いられる分割データは、搬送方向における情報量が所定量に満たなくなる。なお、当該記録搬送は、上記した９パスで単位領域を記録する場合と同じためその詳細な説明は省略する。
【００４７】
この場合、図６に示す比較例と比べて、隣接する単位領域の境界部分に発生するバンディングが視認し難くなる。例えば、比較例では、図６のように、各単位領域の境界では、バンディングの発生に関与する記録搬送の回数は「４」、バンディングの発生位置を跨ぐ記録搬送の回数は「６」となる。具体的には、単位領域Ｂ、Ｃの境界では、３、４、１１、１２回目の記録搬送による記録がバンディングの発生に関与する。また、５〜１０回目の記録搬送による記録がバンディングの発生位置を跨ぐ。これに対して、実施例では、図８のように、各単位領域の境界では、バンディングの発生に関与する記録搬送の回数は「２」、バンディングの発生位置を跨ぐ記録搬送の回数は「７」となる。具体的には、単位領域Ｂ、Ｃの境界では、２、１０回目の記録搬送による記録がバンディングの発生に関与する。また、３〜９回目の記録搬送による記録がバンディングの発生位置を跨ぐ。このように、単位領域を偶数パスで記録する場合でも、実施例による記録動作では、比較例による記録動作と比べてバンディングが視認され難くなる。
【００４８】
このようにして、実施例による記録動作では、隣接する単位領域の境界に、所定の記録搬送による記録の終了位置と、その直後の記録搬送による記録の開始位置とを異ならせて、マルチパス記録により記録媒体に対して記録を行うようにしている。即ち、本実施形態では、コントローラ３６などが、記録ヘッド１８による記録媒体１００への記録を制御する記録制御手段として機能している。なお、記録制御手段には、分割データ生成部４８などを含むようにしてもよい。
【００４９】
以上の構成において、ホストコンピュータから画像データが入力されると、画像処理部４４および２値化処理部４６を介して、分割データ生成部４８において、画像データに基づく分割データを生成する。分割データ生成部４８で生成される分割データは、記録搬送番号と関連付けられ記憶される。
【００５０】
記録媒体１００の記録開始位置を含む領域を記録する分割データ（単位領域Ａへの記録を含む分割データである。）は、記録搬送の回数が１増加する毎に記録領域が単位領域１つ分増加するように生成される。また、記録媒体１００の記録終了位置を含む領域を記録する分割データは、記録搬送の回数が１減少する毎に、記録領域が単位領域１つ分減少するように生成される。さらに、それ以外の分割データは、記録領域が単位領域ｐ個分（「ｐ」は単位領域を記録するパス数）となるように生成される。
【００５１】
分割データが生成された後に、ユーザによって操作子などを介して記録開始の指示が入力されると、記録処理が開始される。図９は、記録処理の詳細な処理内容を示すフローチャートである。図９のフローチャートで示される一連の処理は、ＣＰＵ３８がＲＯＭ４０に記憶されているプログラムコードをＲＡＭ４２に展開して実行される。あるいは、図９におけるステップの一部または全部の機能をＡＳＩＣや電気回路などのハードウェアで実現してもよい。
【００５２】
記録処理が開始されると、まず、記録搬送の回数を表す記録搬送番号を表す係数「ｎ」を初期化する（Ｓ９０２）。即ち、Ｓ９０２では「ｎ＝１」に設定する。次に、ｎが奇数か否かを判断する（Ｓ９０４）。Ｓ９０４において、ｎが奇数であると判断されると、ｎ＞ｍか否かを判断する（Ｓ９０６）。即ち、Ｓ９０６では、「ｎ」が、単位領域を記録するパス数を示す値「ｍ」よりも大きいか否かを判断する。なお、単位領域を記録するパス数は、予め設定されている。
【００５３】
Ｓ９０６において、ｎ＞ｍでないと判断されると、直前の記録搬送が終了した位置から、記録搬送番号「ｎ」に関連付けられた分割データに基づいて、記録媒体１００を往方向に搬送しながら記録を行う（Ｓ９０８）。なお、Ｓ９０８では、ｎ＝１のときには、記録媒体１００における記録開始位置から、分割データに基づく記録を行うこととなる。次に、記録媒体１００を往方向に、単位領域１つ分だけ記録することなく移動する（Ｓ９１０）。即ち、Ｓ９０６においてｎ＞ｍでないと判断されると、記録媒体１００を往方向に搬送して、記録を伴う移動を行った後に、記録を伴わない移動が行われる。
【００５４】
その後、ｎをインクリメントして（Ｓ９１２）、記録搬送番号「ｎ」に関連付けられた分割データがあるか否かを判断する（Ｓ９１４）。Ｓ９１４において、分割データがないと判断されると、この記録処理を終了する。また、Ｓ９１４において、分割データがあると判断されると、Ｓ９０４に戻る。
【００５５】
Ｓ９０４において、ｎが奇数でない、つまり、偶数であると判断されると、直前の記録搬送が終了した位置から、記録搬送番号「ｎ」に関連付けられた分割データに基づいて、記録媒体１００を復方向に搬送しながら記録を行う（Ｓ９１６）。その後、Ｓ９１２に進み、以降の処理を実行する。
【００５６】
Ｓ９０６において、ｎ＞ｍであると判断されると、分割データに基づく記録媒体１００の情報量が所定量未満か否かを判断する（Ｓ９１８）。なお、所定量については、単位領域１つ分の搬送方向における搬送量と、単位領域を記録するためのパス数とを積算した値とする。例えば、単位領域１つ分の搬送方向における搬送量が４ドット、単位領域を９パスで記録する場合、所定量は３６ドットとなる。従って、この場合には、Ｓ９１８では、分割データの搬送方向における情報量が３６ドット未満であるか否かを判断することとなる。
【００５７】
Ｓ９１８において、所定量未満でない、つまり、情報量が所定量以上であると判断されると、直前の記録搬送が終了した位置から、記録媒体１００を往方向に単位領域１つ分だけ記録することなく移動する（Ｓ９２０）。次に、記録搬送番号「ｎ」に関連付けられた分割データに基づいて、記録媒体１００を往方向に移動しながら記録を行う（Ｓ９２２）。その後、記録媒体１００を往方向に単位領域１つ分だけ記録することなく移動し（Ｓ９２４）、Ｓ９１２に進む。即ち、Ｓ９１８において所定量未満でないと判断されると、記録媒体１００を往方向に搬送して、記録を伴わない移動を行った後に、記録を伴う移動を行い、その後さらに記録を伴わない移動が行われる。
【００５８】
また、Ｓ９１８において、所定量未満であると判断されると、直前の記録搬送が終了した位置から、記録媒体１００を往方向に単位領域１つ分だけ記録することなく移動する（Ｓ９２６）。その後、記録搬送番号「ｎ」に関連付けられた分割データに基づいて、記録媒体１００を往方向に搬送しながら記録を行い（Ｓ９２８）、Ｓ９１２に進む。即ち、Ｓ９１８において所定量未満であると判断されると、記録媒体１００を往方向に搬送して、記録を伴わない移動を行った後に、記録を伴う移動が行われる。
【００５９】
以上において説明したように、記録装置１０は、記録装置１０では、記録処理において、記録搬送における記録の終了後、あるいは、記録の開始前に単位領域１つ分だけ記録することなく移動するようにした。これにより、隣接する単位領域の境界において、所定の記録搬送による記録の終了位置と、その直後の記録搬送による記録の開始位置とを異ならせることができる。これにより、各単位領域の境界に記録されるインクの記録デューティに対する、当該境界においてバンディングの発生に関与する記録デューティが相対的に小さくなる。このため、記録装置１０では、隣接する単位領域の境界部分にバンディングが発生したとしても、当該バンディングが視認し難くなる。
【００６０】
（他の実施形態）
なお、上記した実施の形態は、以下の（１）乃至（５）に示すように変形してもよい。
【００６１】
（１）上記実施形態では特に記載しなかったが、記録装置１０は、実施例による記録動作と、比較例による記録動作とを選択的に実行可能な構成としてもよい。
【００６２】
例えば、記録装置１０は４色のインクを用いて記録する構成であるが、単位領域毎にインクの記録順が異なる。一般的に、単位領域を記録するパス数が少ない場合、この記録順の違いが記録結果において色味の違いとして現れ易くなり、記録品位の低下の要因となる。これに対して、単位領域を記録するパス数が多い場合、記録順の違いが記録結果において色味の違いとして現れ難い。このため、単位領域を記録するパス数が少ない場合には、色味の違いが顕著になり、バンディングが生じたとしても当該バンディングを視認し難くなる（当該バンディングが目立たなくなる。）。
【００６３】
従って、単位領域を記録するパス数に応じて、実施例による記録動作を実行するか、あるいは、比較例による記録動作を実行するかを決定するようにしてもよい。即ち、この場合、まず、単位領域を記録するパス数が、所定のパス数以下か否かを判断する。そして、所定のパス数より多いと判断されると、単位領域の境界において、連続する記録搬送の一方の記録搬送における記録の終了位置と他方の記録搬送における記録の開始位置とを異ならせるようにした実施例による記録動作（第１記録処理）を実行する。また、所定のパス数以下であると判断されると、単位領域の境界において、連続する記録搬送の一方の記録搬送における記録の終了位置と他方の記録搬送における記録の開始位置とを一致させるようにした比較例による記録動作（第２記録処理）を実行する。
【００６４】
また、例えば、記録装置１０は種々の記録媒体に対して記録することが可能である。一般に、インクを受容する、あるいは、インクと反応することで、発色を向上させるコート層を備えた記録媒体などでは、インクの記録順によって色味の違いが現れ易くなる。このため、記録順の違いによって色味の違いが顕著になる記録媒体に対して記録する場合には、色味の違いが顕著になることでバンディングが視認され難くなる（バンディングが目立たなくなる。）。一方、他の記録媒体に対して記録する場合には、色味の違いが比較的目立たなくなるため、バンディングが生じると当該バンディングが視認され易くなる。
【００６５】
従って、記録媒体の種類に応じて、実施例による記録動作を実行するか、あるいは、比較例による記録動作を実行するかを決定するようにしてもよい。即ち、記録する記録媒体が、記録順の違いによって色味の違いが顕著になる所定の記録媒体か否かを判断し、所定の記録媒体であると判断されると比較例による記録動作を実行するようにし、所定の記録媒体でないと判断されると実施例による記録動作を実行する。なお、所定の記録媒体については、記録装置１０で使用するインクの性能、目的とする記録品位などから適宜に設定する。
【００６６】
（２）記録装置１０では、不良ノズルを検出するための検出部を設けるようにしてもよい。この検出部は、例えば、ＣＰＵ３８に接続されている。そして、ＣＰＵ３８により、記録媒体１００に対して不良ノズルを検出するためのパターンが記録されると、検出部で当該パターンを読み取る。検出部で読み取ったデータは、ＣＰＵ３８に出力され、ＣＰＵ３８において当該データに基づいて不良ノズルを検出する。また、記録装置１０は、例えば、特許文献１のように、各記録ヘッド１８を幅方向に移動可能な移動機構を備えるようにしてもよい。これにより、ノズル不吐出やノズルのバラツキによる影響を低減することができるようになる。
【００６７】
（３）上記実施形態では、隣接する単位領域の境界において、所定の記録搬送による記録の終了位置と、直後の記録搬送による記録の開始位置とを異ならせるために、分割データに基づく記録の前後に、単位領域１つ分を記録することなく移動するようにした。しかしながら、記録することなく移動する移動量については、単位領域１つ分に限定されるものではなく、例えば、単位領域２つ分あるいはそれ以上としてもよい。
【００６８】
（４）上記実施形態では、固定的に配置された記録ヘッド１８に対して、記録媒体１００が搬送方向の往方向および復方向で搬送されるようにしたが、これに限定されるものではない。即ち、記録媒体１００と記録ヘッド１８との位置関係が相対的に搬送方向の往方向および復方向に移動する構成であればよい。
【００６９】
（５）上記実施形態では、Ｓ９１８において、分割データに基づく記録媒体１００の搬送量が所定量未満か否かを判断するようにしたが、これに限定されるものではない。即ちＳ９１８では、記録媒体１００における記録終了位置を含む領域に対して記録する記録搬送か否かを判断可能であれば、どのように判断してもよい。
【符号の説明】
【００７０】
１０  記録装置
１２  搬送部
１８  記録ヘッド
３６  コントローラ
１００  記録媒体
【図１】
2019195982.tif 000003
【図２】
2019195982.tif 000004
【図３】
2019195982.tif 000005
【図４】
2019195982.tif 000006
【図５】
2019195982.tif 000007
【図６】
2019195982.tif 000008
【図７】
2019195982.tif 000009
【図８】
2019195982.tif 000010
【図９】
2019195982.tif 000011